(57)【特許請求の範囲】
【請求項１】
ユーザの入力操作を受け付ける入力部と、
検体を測定する動作の内容と該動作が実行される時刻範囲とを対応づけた設定テーブルを保持する一時記憶部と、
時刻を通知する時計部と、
前記入力部がユーザの所定の入力操作を受け付けた時刻を前記時計部から取得し、取得した前記時刻が含まれる前記時刻範囲が前記設定テーブルに存在する場合には、前記設定テーブルから該当時刻範囲と対応づけられた前記動作の内容を読み出し、該読み出した動作の内容に基づく動作を実行するよう制御を行う制御部と、を備え、
前記制御部は、読み出した前記設定テーブルの内容を変更可能なように表示部に表示し、前記表示部に表示された前記内容が前記入力部により変更された場合には、読み出した前記設定テーブルの内容を一時的に変更し、変更後の内容に基づく動作を実行すると共に、変更後の内容で前記設定テーブルを新たに前記一時記憶部に保持するかどうかを前記ユーザに選択させる画面を前記表示部に表示する
自動分析装置。
【請求項２】
前記動作の内容は、前記時刻範囲に対応して測定対象の項目又は測定対象の検体が指定されることで決定される
請求項１に記載の自動分析装置。
【請求項３】
前記設定テーブルに格納された前記動作の内容と該動作が実行される時刻範囲とを一時的に変更する一時変更ボタンを含む画面を表示する表示部を、更に備え、
前記制御部は、前記画面内の前記一時変更ボタンが操作された場合に、前記設定テーブルに格納された前記動作の内容又は該動作が実行される前記時刻範囲を一時的に変更するための設定画面を前記表示部に表示する
請求項１又は２に記載の自動分析装置。
【請求項４】
前記設定テーブルは、さらに前記動作が実行される曜日を格納する
請求項１乃至３のいずれかに記載の自動分析装置。
【請求項５】
前記制御部は、前記動作としてキャリブレーション又はコントロールを実行する
請求項１乃至４のいずれかに記載の自動分析装置。
【請求項６】
ユーザの入力操作を受け付ける入力部と、検体を測定する動作の内容と該動作が実行される時刻範囲とを対応づけた設定テーブルを保持する一時記憶部と、時刻を通知する時計部と、該動作を実行するよう制御する制御部とを備える自動分析装置の前記制御部が、前記入力部がユーザの所定の入力操作を受け付けた時刻を前記時計部から取得する処理と、
前記制御部が、取得した前記時刻が含まれる前記時刻範囲が前記設定テーブルに存在する場合には、前記設定テーブルから該当時刻範囲と対応づけられた前記動作の内容を読み出す処理と、
前記制御部が、該読み出した動作の内容に基づく動作を実行するよう制御を行う処理と、を含み、
さらに、前記制御部が、読み出した前記設定テーブルの内容を変更可能なように表示部に表示し、前記表示部に表示された前記内容が前記入力部により変更された場合には、読み出した前記設定テーブルの内容を一時的に変更し、変更後の内容に基づく動作を実行すると共に、変更後の内容で前記設定テーブルを新たに前記一時記憶部に保持するかどうかを前記ユーザに選択させる画面を前記表示部に表示する
動作指定方法。
【発明の詳細な説明】
【技術分野】
【０００１】
本発明は、検体に含まれる成分を分析する自動分析装置及び動作指定方法に関する。
【背景技術】
【０００２】
自動分析装置として、血液や尿等の検体に含まれる各種成分を分析する生化学分析装置が知られている。この生化学分析装置は、標準検体（既知濃度の検体）の測定結果から検量線を作成し、検量線を用いて患者検体に含まれる分析対象成分の濃度を計算する。
【０００３】
一般に、生化学分析装置等の自動分析装置は表示部に設定画面を表示し、ユーザは設定画面で測定する項目と測定時刻を指定する。生化学分析装置は、現在時刻が指定された時刻になると指定された項目の測定を行う。例えば時間帯によって測定する項目を変更するなどの必要に応じて、ユーザは、設定画面のメニューから一時変更を選択し、変更したい測定項目を選択する作業を行う。
【０００４】
指定された時刻に指定された処理を行う技術として、例えば予め環境設定動作の動作コースを指定された自動分析装置が現在時刻を監視し、環境設定開始時刻となったときに指定された動作コースの環境設定動作の制御を開始する技術が開示されている（例えば、特許文献１参照）。
【先行技術文献】
【特許文献】
【０００５】
【特許文献１】特開２００９−３６７２３号公報
【発明の概要】
【発明が解決しようとする課題】
【０００６】
ところで、自動分析装置に対し、設定画面で既に設定されている項目が、測定を実施する項目として依頼される。そのため、ユーザは項目の変更があるたびに一時変更の機能を選択し、項目の選択を行わなければならず煩わしかった。また、一時変更の都度、ユーザが手入力で項目の選択を行うため、ユーザが項目の選択を誤ってしまうことがある。例えばキャリブレーション（検量線作成）を行う項目の選択を誤ると、キャリブレーションが失敗し、一般検体の測定が遅延してしまうことがある。
【０００７】
本発明は、上記状況に鑑みてなされたものであり、例えばキャリブレーションやコントロールなどにおいて測定する項目又は測定対象の検体等を指定する作業、即ち動作の内容を指定する作業を簡素化することを目的とする。
【課題を解決するための手段】
【０００８】
本発明の自動分析装置の一態様は、ユーザの入力操作を受け付ける入力部と、検体を測定する動作の内容と該動作が実行される時刻範囲とを対応づけて格納する設定テーブルと、時刻を通知する時計部とを備える。さらに、自動分析装置は、入力部がユーザの所定の入力操作を受け付けた時刻を時計部から取得し、設定テーブルに格納された該時刻を含む時刻範囲と対応づけられた動作の内容を読み出し、該読み出した動作の内容に基づく動作を実行するよう制御を行う制御部を備える。
【０００９】
また、本発明の動作指定方法の一態様は、ユーザの入力操作を受け付ける入力部と、検体を測定する動作の内容と該動作が実行される時刻範囲とを対応づけて格納する設定テーブルと、時刻を通知する時計部と、該動作を実行するよう制御する制御部とを備える自動分析装置における動作指定方法である。この動作指定方法は、制御部が、入力部がユーザの所定の入力操作を受け付けた時刻を時計部から取得する処理と、制御部が、設定テーブルに格納された所定の入力操作を受け付けた時刻を含む時刻範囲と対応づけられた動作の内容を読み出す処理とを含む。さらに、制御部が、読み出した動作の内容に基づく動作を実行するよう制御を行う処理を含む。
【発明の効果】
【００１０】
上述のように、本発明の一態様は、ユーザが所定の入力操作を行うと、設定テーブルに格納された、ユーザが所定の入力操作を行った時刻を含む時刻範囲と対応づけられた検体を測定する動作の内容を読み出し、その動作を実行する。それゆえ、検体を測定する動作を指定する作業（例えば、キャリブレーションやコントロール等において時間帯に応じた測定対象の項目や検体の指定等）が簡素化され、ユーザの負担が軽減する。
【図面の簡単な説明】
【００１１】
【図１】本発明の一実施の形態に係る自動分析装置を模式的に示す説明図である。
【図２】本発明の一実施の形態に係る計算機の内部構成例を示すブロック図である。
【図３】キャリブレーション設定テーブルの構成例を示す図である。
【図４】コントロール設定テーブルの構成例を示す図である。
【図５】本発明の一実施の形態に係る自動分析装置における動作指定の処理を示すフローチャートである。
【図６】スタート画面の例を示す図である。
【図７】パターン毎の項目指定が可能なキャリブレーション設定画面の例を示す図である。
【図８】時刻範囲を軸にしたキャリブレーション設定テーブルの構成例である。
【図９】項目を軸にしたキャリブレーション設定テーブルの構成例である。
【図１０】曜日毎の項目指定が可能なキャリブレーション設定画面の例を示す図である。
【図１１】パターン毎の検体指定が可能なコントロール設定画面の例を示す図である。
【図１２】時刻範囲を軸にしたコントロール用設定テーブルの構成例を示す図である。
【図１３】曜日毎の検体指定が可能なコントロール設定画面の例を示す図である。
【発明を実施するための形態】
【００１２】
以下、本発明を実施するための形態の例について、添付図面を参照しながら説明する。なお、各図において実質的に同一の機能又は構成を有する構成要素については、同一の符号を付して重複する説明を省略する。
【００１３】
＜１．一実施の形態＞
［自動分析装置の構成］
図１に示す装置は、本発明の自動分析装置の一例として適用する生化学分析装置１である。生化学分析装置１は、血液や尿等の生体試料に含まれる特定の成分の量を自動的に測定する装置である。
【００１４】
図１に示すように、生化学分析装置１は、測定機構１Ａと、計算機３０とを備える。測定機構１Ａは、サンプルターンテーブル２と、希釈ターンテーブル３と、第１試薬ターンテーブル４と、第２試薬ターンテーブル５と、反応ターンテーブル６と、を備えている。また、測定機構１Ａは、サンプル希釈ピペット７と、サンプリングピペット８と、希釈撹拌装置９と、希釈洗浄装置１１と、第１試薬ピペット１２と、第２試薬ピペット１３と、第１反応撹拌装置１４と、第２反応撹拌装置１５と、多波長光度計１６と、恒温槽１７と、反応容器洗浄装置１８とを備えている。
【００１５】
サンプルターンテーブル２は、軸方向の一端が開口した略円筒状をなす容器状に形成されている。このサンプルターンテーブル２には、複数の検体容器２１と、複数の希釈液容器２２が収容されている。サンプルターンテーブル２の内側には、キャリブレータ２ａ（標準検体）やコントローラ２ｂ（管理検体）（図２参照）が設置される。また、サンプルターンテーブル２の内側の部分（内側の２列）は、主にキャリブレータ２ａやコントローラ２ｂを保冷する目的で保冷されている。検体容器２１には、血液や尿等からなる検体（サンプル）が収容される。希釈液容器２２には、通常の希釈液である生理食塩水以外の特別な希釈液が収容される。因みに、サンプルターンテーブル２を駆動するときは、内側と外側を同時に駆動することになる。
【００１６】
複数の検体容器２１は、サンプルターンテーブル２の周方向に所定の間隔を開けて並べて配置されている。また、サンプルターンテーブル２の周方向に並べられた検体容器２１の列は、サンプルターンテーブル２の半径方向に所定の間隔を開けて２列セットされている。
【００１７】
複数の希釈液容器２２は、複数の検体容器２１の列よりもサンプルターンテーブル２の半径方向の内側に配置されている。複数の希釈液容器２２は、複数の検体容器２１と同様に、サンプルターンテーブル２の周方向に所定の間隔を開けて並べて配置されている。そして、サンプルターンテーブル２の周方向に並べられた希釈液容器２２の列は、サンプルターンテーブル２の半径方向に所定の間隔を開けて２列セットされている。
【００１８】
なお、複数の検体容器２１及び複数の希釈液容器２２の配列は、２列に限定されるものではなく、１列でもよく、あるいはサンプルターンテーブル２の半径方向に３列以上配置してもよい。
【００１９】
サンプルターンテーブル２は、不図示の駆動機構によって周方向に沿って回転可能に支持されている。そして、サンプルターンテーブル２は、不図示の駆動機構により、周方向に所定の角度範囲ごとに、所定の速度で回転する。また、サンプルターンテーブル２の周囲には、希釈ターンテーブル３が配置されている。
【００２０】
希釈ターンテーブル３、第１試薬ターンテーブル４、第２試薬ターンテーブル５及び反応ターンテーブル６は、サンプルターンテーブル２と同様に、軸方向の一端が開口した略円筒状をなす容器状に形成されている。希釈ターンテーブル３及び反応ターンテーブル６は、不図示の駆動機構により、その周方向に所定の角度範囲ずつ、所定の速度で回転する。なお、反応ターンテーブル６は、例えば一回の移動で半周以上回転するように設定されている。
【００２１】
希釈ターンテーブル３には、複数の希釈容器２３が希釈ターンテーブル３の周方向に並べて収容されている。希釈容器２３には、サンプルターンテーブル２に配置された検体容器２１から吸引され、希釈された検体（以下、「希釈検体」という）が収容される。
【００２２】
第１試薬ターンテーブル４には、複数の第１試薬容器２４が第１試薬ターンテーブル４の周方向に並べて収容されている。また、第２試薬ターンテーブル５には、複数の第２試薬容器２５が第２試薬ターンテーブル５の周方向に並べて収容されている。そして、第１試薬容器２４には、濃縮された第１試薬が収容され、第２試薬容器２５には、第２試薬が収容される。
【００２３】
さらに、第１試薬ターンテーブル４、第１試薬容器２４、第２試薬ターンテーブル５及び第２試薬容器２５は、不図示の保冷機構によって所定の温度に保たれている。そのため、第１試薬容器２４に収容された第１試薬と、第２試薬容器２５に収容された第２試薬は、所定の温度で保冷される。
【００２４】
反応ターンテーブル６は、希釈ターンテーブル３と、第１試薬ターンテーブル４及び第２試薬ターンテーブル５の間に配置されている。反応ターンテーブル６には、複数の反応容器２６が反応ターンテーブル６の周方向に並べて収容されている。反応容器２６には、希釈ターンテーブル３の希釈容器２３からサンプリングした希釈検体と、第１試薬ターンテーブル４の第１試薬容器２４からサンプリングした第１試薬と、第２試薬ターンテーブル５の第２試薬容器２５からサンプリングした第２試薬が注入される。そして、この反応容器２６内において、希釈検体と、第１試薬及び第２試薬が撹拌され、反応が行われる。
【００２５】
サンプル希釈ピペット７は、サンプルターンテーブル２と希釈ターンテーブル３の周囲に配置される。サンプル希釈ピペット７は、不図示の希釈ピペット駆動機構により、サンプルターンテーブル２及び希釈ターンテーブル３の軸方向（例えば、上下方向）に移動可能に支持されている。また、サンプル希釈ピペット７は、希釈ピペット駆動機構により、サンプルターンテーブル２及び希釈ターンテーブル３の開口と略平行をなす水平方向に沿って回動可能に支持されている。そして、サンプル希釈ピペット７は、水平方向に沿って回動することで、サンプルターンテーブル２と希釈ターンテーブル３の間を往復運動する。なお、サンプル希釈ピペット７がサンプルターンテーブル２と希釈ターンテーブル３の間を移動する際、サンプル希釈ピペット７は、不図示の洗浄装置を通過する。
【００２６】
ここで、サンプル希釈ピペット７の動作について説明する。
サンプル希釈ピペット７がサンプルターンテーブル２における開口の上方の所定位置に移動した際、サンプル希釈ピペット７は、サンプルターンテーブル２の軸方向に沿って下降し、その先端に設けたピペットを検体容器２１内に挿入する。このとき、サンプル希釈ピペット７は、不図示のサンプル用ポンプが作動して検体容器２１内に収容された検体を所定量吸引する。次に、サンプル希釈ピペット７は、サンプルターンテーブル２の軸方向に沿って上昇してピペットを検体容器２１内から抜き出す。そして、サンプル希釈ピペット７は、水平方向に沿って回動し、希釈ターンテーブル３における開口の上方の所定位置に移動する。
【００２７】
次に、サンプル希釈ピペット７は、希釈ターンテーブル３の軸方向に沿って下降して、ピペットを所定の希釈容器２３内に挿入する。そして、サンプル希釈ピペット７は、吸引した検体と、サンプル希釈ピペット７自体から供給される所定量の希釈液（例えば、生理食塩水）を希釈容器２３内に吐出する。その結果、希釈容器２３内で、検体が所定倍数の濃度に希釈される。その後、サンプル希釈ピペット７は、洗浄装置によって洗浄される。
【００２８】
サンプリングピペット８は、希釈ターンテーブル３と反応ターンテーブル６の間に配置されている。サンプリングピペット８は、不図示のサンプリングピペット駆動機構により、サンプル希釈ピペット７と同様に、希釈ターンテーブル３の軸方向（上下方向）と水平方向に移動及び回動可能に支持されている。そして、サンプリングピペット８は、希釈ターンテーブル３と反応ターンテーブル６の間を往復運動する。
【００２９】
このサンプリングピペット８は、希釈ターンテーブル３の希釈容器２３内にピペットを挿入して、所定量の希釈検体を吸引する。そして、サンプリングピペット８は、吸引した希釈検体を反応ターンテーブル６の反応容器２６内に吐出する。
【００３０】
第１試薬ピペット１２は、反応ターンテーブル６と第１試薬ターンテーブル４の間に配置され、第２試薬ピペット１３は、反応ターンテーブル６と第２試薬ターンテーブル５の間に配置されている。第１試薬ピペット１２は、不図示の第１試薬ピペット駆動機構により、反応ターンテーブル６の軸方向（上下方向）と水平方向に移動及び回動可能に支持されている。そして、第１試薬ピペット１２は、第１試薬ターンテーブル４と反応ターンテーブル６の間を往復運動する。
【００３１】
第１試薬ピペット１２は、第１試薬ターンテーブル４の第１試薬容器２４内にピペットを挿入して、所定量の第１試薬を吸引する。そして、第１試薬ピペット１２は、吸引した第１試薬を反応ターンテーブル６の反応容器２６内に吐出する。
【００３２】
また、第２試薬ピペット１３は、不図示の第２試薬ピペット駆動機構により、第１試薬ピペット１２と同様に、反応ターンテーブル６の軸方向（上下方向）と水平方向に移動及び回動可能に支持されている。そして、第２試薬ピペット１３は、第２試薬ターンテーブル５と反応ターンテーブル６の間を往復運動する。
【００３３】
第２試薬ピペット１３は、第２試薬ターンテーブル５の第２試薬容器２５内にピペットを挿入して、所定量の第２試薬を吸引する。そして、第２試薬ピペット１３は、吸引した第２試薬を反応ターンテーブル６の反応容器２６内に吐出する。
【００３４】
希釈撹拌装置９及び希釈洗浄装置１１は、希釈ターンテーブル３の周囲に配置されている。希釈撹拌装置９は、不図示の撹拌子を希釈容器２３内に挿入し、検体と希釈液を撹拌する。
【００３５】
希釈洗浄装置１１は、サンプリングピペット８によって希釈検体が吸引された後の希釈容器２３を洗浄する装置である。この希釈洗浄装置１１は、複数の希釈容器洗浄ノズルを有している。複数の希釈容器洗浄ノズルは、不図示の廃液ポンプと、不図示の洗剤ポンプに接続されている。希釈洗浄装置１１は、希釈容器洗浄ノズルを希釈容器２３内に挿入し、廃液ポンプを駆動させて挿入した希釈容器洗浄ノズルによって希釈容器２３内に残留する希釈検体を吸い込む。そして、希釈洗浄装置１１は、吸い込んだ希釈検体を不図示の廃液タンクに排出する。
【００３６】
その後、希釈洗浄装置１１は、洗剤ポンプから希釈容器洗浄ノズルに洗剤を供給し、希釈容器洗浄ノズルから希釈容器２３内に洗剤を吐出する。この洗剤によって希釈容器２３内を洗浄する。その後、希釈洗浄装置１１は、洗剤を希釈容器洗浄ノズルによって吸引し、希釈容器２３内を乾燥させる。
【００３７】
第１反応撹拌装置１４、第２反応撹拌装置１５及び反応容器洗浄装置１８は、反応ターンテーブル６の周囲に配置されている。第１反応撹拌装置１４は、不図示の撹拌子を反応容器２６内に挿入し、希釈検体と第１試薬を撹拌する。これにより、希釈検体と第１試薬との反応が均一かつ迅速に行われる。なお、第１反応撹拌装置１４の構成は、希釈撹拌装置９と同一であるため、ここではその説明は省略する。
【００３８】
第２反応撹拌装置１５は、不図示の撹拌子を反応容器２６内に挿入し、希釈検体と、第１試薬と、第２試薬とを撹拌する。これにより、希釈検体と、第１試薬と、第２試薬との反応が均一かつ迅速に行われる。なお、第２反応撹拌装置１５の構成は、希釈撹拌装置９と同一であるため、ここではその説明は省略する。
【００３９】
反応容器洗浄装置１８は、検査が終了した反応容器２６内を洗浄する装置である。この反応容器洗浄装置１８は、複数の反応容器洗浄ノズルを有している。複数の反応容器洗浄ノズルは、希釈容器洗浄ノズルと同様に、不図示の廃液ポンプと、不図示の洗剤ポンプに接続されている。なお、反応容器洗浄装置１８における洗浄工程は、上述した希釈洗浄装置１１と同様であるため、その説明は省略する。
【００４０】
また、多波長光度計１６は、反応ターンテーブル６の周囲における反応ターンテーブル６の外壁と対向するように配置されている。多波長光度計１６は、反応容器２６内に注入され、第１薬液及び第２薬液と反応した希釈検体（標準検体を含む。）に対して光学的測定を行って、検体中の様々な成分の量を「吸光度」という数値データとした測定結果を出力し、希釈検体の反応状態を検出する。多波長光度計１６には、計算機３０が接続されている。
【００４１】
さらに、反応ターンテーブル６の周囲には、恒温槽１７が配置されている。この恒温槽１７は、反応ターンテーブル６に設けられた反応容器２６の温度を常時一定に保持するように構成されている。
【００４２】
［計算機の構成例］
次に、計算機３０の構成例を説明する。
図２は、計算機３０の内部構成例を示すブロック図である。
計算機３０は、不図示のバスに接続された、制御部３１と、分析部３２と、入力部３３と、表示部３４と、記憶部３５と、一時記憶部３６と、時計部３７とを備える。
【００４３】
制御部３１は、ＣＰＵ（Central Processing Unit）若しくはマイクロコンピュータ等によって構成される。制御部３１は、不図示のインターフェース部を介して生化学分析装置１（測定機構１Ａ）の各部と接続し、各部への動作タイミングの指示やデータの転送等を行って各部の動作の制御を行い、装置全体の動作を統括的に制御する。制御部３１は、記憶部３５に記憶されたプログラムを読み出して実行することにより、生化学分析装置１内の各部の動作を制御する。制御部３１は、分析部３２と接続されており、測定機構１Ａの多波長光度計１６が測定した反応容器２６の吸光度の測定結果が入力されると、測定結果を分析部３２に出力する。
【００４４】
分析部３２は、多波長光度計１６による測定結果をもとに検体の成分濃度等を分析し、分析結果を制御部３１に出力する。
【００４５】
入力部３３は、ユーザによって行われる生化学分析装置１に対する操作入力を受け付け、入力信号を制御部３１に出力する。この入力部３３には、例えば、マウス、キーボード、タッチパネル等が用いられる。ユーザは、入力部３３を操作して、検体数や分析項目、分析を実行する時間帯（時刻範囲）等、分析に必要な情報を入力する。
【００４６】
表示部３４は、分析結果画面や警告画面、各種設定入力のための入力画面等を表示する。この表示部３４には、例えば、液晶ディスプレイ装置等が用いられる。
【００４７】
記憶部３５は、例えば、更新記憶可能なフラッシュメモリ等のＲＯＭによって構成されている。または、記憶部３５は、内蔵或いはデータ通信端子で接続されたＨＤＤ（Hard disk drive）等の大容量の記録装置、ＣＤ−ＲＯＭ等の情報記憶媒体及びその読取装置等によって実現されてもよい。記憶部３５は、分析結果の他、生化学分析装置１の動作に必要な各種プログラムや、これらプログラムの実行にかかるデータ等を格納する。記憶部３５には、本実施の形態を実現するため、測定項目指定プログラム３５ａと、測定制御プログラム３５ｂと、キャリブレーション設定テーブル３５ｃと、コントロール設定テーブル３５ｄとが記憶されている。
【００４８】
測定項目指定プログラム３５ａは、例えばユーザが入力部３３を操作して、キャリブレーション又はコントロール時に測定される項目又は測定対象の検体を指定するために、制御部３１により実行されるプログラムである。制御部３１は、測定項目指定プログラム３５ａを実行することで、キャリブレーション設定テーブル３５ｃ及びコントロール設定テーブル３５ｄを作成し、これらの設定テーブルを記憶部３５に記憶する。
【００４９】
測定制御プログラム３５ｂは、例えばキャリブレーション又はコントロール時に、ユーザにより指定された項目又は検体の測定を行うために、制御部３１により実行されるプログラムである。制御部３１は、ユーザが所定の入力操作を行った時刻に対応する各設定テーブルに格納された動作の内容を読み出し、該読み出した動作の内容に基づく動作（測定対象の項目又は検体の測定）を実行する。
【００５０】
キャリブレーション設定テーブル３５ｃは、キャリブレーション時に実行される動作の内容と、該動作が実行される時刻範囲（時間帯）との対応関係を定義した設定テーブルである。
【００５１】
図３に、キャリブレーション設定テーブルの構成例を示す。
図３のキャリブレーション設定テーブル４７は、キャリブレーション設定テーブル３５ｃの一具体例である。キャリブレーション設定テーブル４７は、時刻範囲フィールドと、項目フィールドを有する。入力部３３がユーザによる所定の入力を受け付けた時刻がいずれかの時刻範囲に含まれる場合に、対応する項目の測定が行われる。図３では、７：００−１０：００の時刻範囲と項目Ａ，項目Ｂ，項目Ｃが対応し、１１：００−１５：００の時刻範囲と項目Ｃが対応し、１７：００−２１：００の時刻範囲と項目Ｄ，項目Ｅが対応する。なお、図３では、時刻範囲と対応づけて測定対象の項目を指定することで動作の内容を決定しているが、項目の指定に限らず、測定対象の検体を指定することで動作の内容を決定してもよい。
【００５２】
コントロール設定テーブル３５ｄは、コントロール時に実行される動作の内容と、該動作が実行される時刻範囲（時間帯）との対応関係を定義した設定テーブルである。
【００５３】
図４に、コントロール設定テーブルの構成例を示す。
図４のコントロール設定テーブル４８は、コントロール設定テーブル３５ｄの一具体例である。コントロール設定テーブル４８は、時刻範囲フィールドと、項目フィールドを有する。入力部３３がユーザによる所定の入力を受け付けた時刻がいずれかの時刻範囲に含まれる場合に、対応する項目の測定が行われる。コントロール設定テーブル４８の内容は、図３のキャリブレーション設定テーブル４７の内容と同じであるため、詳細な説明は省略する。なお、図３の場合と同様に、図４においても、時刻範囲と対応づけて測定対象の項目を指定することで動作の内容を決定しているが、測定対象の検体を指定することで動作の内容を決定してもよい。
【００５４】
図２の説明に戻る。一時記憶部３６は、更新記憶可能なフラッシュメモリ等のＲＡＭによって構成されている。一時記憶部３６は、制御部３１が記憶部３５から読み出したプログラムやデータ、各種設定テーブルの一部又は全部の設定内容を一時的に記憶する。
【００５５】
時計部３７は時刻を計時し、制御部３１へ時刻を通知する。時計部３７は、例えば一般的なパーソナルコンピュータ等に装備されている、現在日時情報を出力するＩＣであるリアルタイムクロック（Real Time Clock：ＲＴＣ）が用いられる。
【００５６】
［生化学分析装置の動作］
次に、生化学分析装置１の動作を、図５を参照して説明する。なお、図５は、生化学分析装置１における動作指定の処理を示すフローチャートである。
計算機３０の制御部３１は、記憶部３５に記録された測定制御プログラム３５ｂを実行することで、図３に示す処理を実現する。前提として、制御部３１は、測定項目指定プログラム３５ａを実行し、キャリブレーション設定テーブル３５ｃ又はコントロール設定テーブル３５ｄを作成して記憶部３５に保存しておく。
【００５７】
生化学分析装置１の電源が入ると、制御部３１は、表示部３４にメイン画面を表示する。制御部３１は、ユーザが入力部３３を操作してメイン画面に表示された不図示のスタートボタン（アイコン）を押下したことを検出すると、図４に示すスタート画面４０を表示部３４に表示する（ステップＳ１）。このとき、制御部３１は、スタート画面４０を表示部３４に表示する処理と並行して、記憶部３５から測定制御プログラム３５ｂを読み出して起動する。なお、制御部３１は、生化学分析装置１の電源が入った時点で、測定制御プログラム３５ｂを起動するようにしてもよい。
【００５８】
図６は、スタート画面の例を示す図である。
スタート画面４０には、キャリブレーション、コントロール、及びそれ以外の一般検体の測定を選択するチェックボックス４１，４２，４３を有する。これらのチェックボックスにチェック記号が入力されると、該当するチェックボックスに対応する処理が指定される。キャリブレーションのチェックボックス４１にチェック記号が入った場合には、動作の内容としてキャリブレータ２ａ（図１参照）の測定が指定される。また、コントロールのチェックボックス４２にチェック記号が入った場合には、動作の内容としてコントローラ２ｂ（図１参照）の測定が指定される。なお、一般検体のチェックボックス４３にチェック記号が入った場合には、検体容器２１に収容された一般検体の測定が指定される。
【００５９】
またスタート画面４０には、キャリブレーション用の一時変更ボタン４４と、コントロール用の一時変更ボタン４５とが表示される。ユーザはキャリブレーション用の一時変更ボタン４４が押下し、記憶部３５に記憶されたキャリブレーション設定テーブル３５ｃの設定内容を一時的に変更することができる。同様にして、ユーザはコントロール用の一時変更ボタン４５を押下し、コントロール設定テーブル３５ｄの設定内容を一時的に変更することができる。各設定テーブルの設定内容を一時的に変更する方法については、後述する。
【００６０】
図５のフローチャートの説明に戻る。制御部３１は、ユーザにより入力部３３を操作してメイン画面のスタートボタンが押されたこと（所定の入力操作の一例）を検出すると、スタートボタンが押された時刻（スタート画面４０が表示された時刻）を時計部３７から取得する。そして、制御部３１は、キャリブレーション設定テーブル３５ｃ及びコントロール設定テーブル３５ｄ（図２）に格納された該時刻（現在時刻）を含む時刻範囲と対応づけられた項目（動作の内容）を該時刻範囲とともに読み出し、一時記憶部３６に格納する（ステップＳ２）。
【００６１】
次いで、制御部３１は、スタート画面４０においてキャリブレーション又はコントロールが選択されたかどうかを確認する（ステップＳ３）。即ち、制御部３１は、スタート画面４０内のキャリブレーションのチェックボックス４１又はコントロールのチェックボックス４２に入力が行われたかどうかを検出する。
【００６２】
次いで、制御部３１は、スタート画面４０の下部に配置されたスタートボタン４６が押下されたかどうかを判定する（ステップＳ４）。スタートボタン４６が押下されなかった場合には（ステップＳ４のＮＯ）、制御部３１は、この判定処理をスタートボタン４６が押下されるまで継続する。
【００６３】
次いで、ステップＳ４の判定処理でスタート画面４０のスタートボタン４６が押下された場合には（ステップＳ４のＹＥＳ）、制御部３１は、ステップＳ３で確認した選択内容（キャリブレーション又はコントロールのチェックボックス４１，４２への入力の有無）で一時記憶部３６の更新を行う（ステップＳ５）。なお、制御部３１は、スタート画面４０のスタートボタン４６が押下された時点で、スタート画面４０を閉じる。その後、制御部３１は、生化学分析装置１における分析を開始する（ステップＳ６）。
【００６４】
次いで、制御部３１は、ステップＳ５の処理により一時記憶部３６に格納された選択内容（キャリブレーション又はコントロールのチェックボックス４１，４２への入力の有無）からキャリブレーション又はコントロールが選択されたかどうかを判定する（ステップＳ７）。ここで、キャリブレーション又はコントロールが選択されなかった場合には（ステップＳ７のＮＯ）、制御部３１は、本フローチャートの処理を終了する。
【００６５】
一方、ステップＳ７の判定処理においてキャリブレーション又はコントロールが選択された場合には（ステップＳ７のＹＥＳ）、制御部３１は、選択された動作についてステップＳ２の処理で一時記憶部３６に格納された動作の内容及び時刻範囲を読み出す。そして、制御部３１は、一時記憶部３６から読み出した動作の内容及び時刻範囲に基づいて、選択されたキャリブレーション又はコントロールを実行する（ステップＳ８）。すなわち、制御部３１は、一時記憶部３６に記憶された時刻範囲に対応する動作（測定対象の項目のキャリブレーション又はコントロール）を実行する。
【００６６】
その後、制御部３１は、スタート画面４０のスタートボタン４６が押下されたことを検出したとき、所定の条件の下でキャリブレーション又はコントロールの動作を実行する処理（図５のステップＳ８）を終了する。例えば、スタート画面４０のスタートボタン４６が押下されたときに、キャリブレーション又はコントロールのチェックボックス４１，４２のチェック記号が外れていた場合には、制御部３１は、キャリブレーション又はコントロールの動作を実行する処理をスキップして終了する。あるいは、制御部３１は、時間の経過によってユーザがメイン画面のスタートボタンを押した時刻（スタート画面４０が表示された時刻）が該当していた時刻範囲から外れたときに、キャリブレーション又はコントロールの動作を実行する処理を終了する。
【００６７】
また、ステップＳ３においてキャリブレーション及びコントロールのいずれも選択されず、かつ一般のチェックボックス４３にチェック記号が入力されている場合には、制御部３１は、スタートボタンが押下されたことをトリガとして、一般検体の分析を開始するようにしてもよい。この場合にも、検体を測定する動作の内容と該動作が実行される時刻範囲とを対応づけて格納する設定テーブルを予め作成しておく。制御部３１は、作成した設定テーブルに格納された、スタートボタンが押下（スタート画面４０が表示）された時刻を含む時刻範囲に対応する動作を行う。
【００６８】
このような処理により、ユーザがメイン画面のスタートボタンを押下（所定の入力操作の例）すると、設定テーブルに格納された、ユーザがスタートボタンを押下した時刻を含む時刻範囲と対応づけられた検体を測定する動作の内容が読み出される。すなわち、ユーザは、メイン画面のスタートボタンを押した時刻により、生化学分析装置１に実行させる動作の内容を変えることができる。それゆえ、検体を測定する動作を指定する作業（例えば、キャリブレーションやコントロール等において時間帯に応じた測定対象の項目や検体の指定等）が簡素化され、ユーザの負担が軽減する。
【００６９】
［キャリブレーションの設定］
以下、生化学分析装置１に実行させる動作の内容を時間範囲と対応させて設定する方法を説明する。
図７は、パターン毎の項目指定が可能なキャリブレーション設定画面の例を示す図である。
キャリブレーション設定画面５０は、パターン指定部５１と、指定Ａ設定部５３Ａと、指定Ｂ設定部５３Ｂとを有する。パターン指定部５１は、パターン指定Ａのチェックボックス５２Ａと、パターン指定Ｂのチェックボックス５２Ｂを有し、ユーザは２つのパターンのうちいずれかを選択することができる。ユーザは、指定Ａ設定部５３Ａと指定Ｂ設定部５３Ｂの各項目を適宜選択することにより、２つのパターンについて詳細な設定を行うことができる。
【００７０】
図７の例では、パターン指定Ｂが選択されている。パターン指定Ｂでは、時刻範囲Ａ「１９：０１−８：３０」、時刻範囲Ｂ「８：３１−１２：００」、及び時刻範囲Ｃ「１２：０１−１９：００」が設定されている。指定Ｂ設定部５３Ｂでは、項目Ａと時刻範囲Ａ，Ｂが対応し、項目Ｂと時刻範囲Ａ，Ｃが対応し、項目Ｄと時刻範囲Ａ，Ｂ，Ｃが対応し、項目Ｅと時刻範囲Ｂが対応している。
図７の例では、指定Ａ設定部５３Ａと指定Ｂ設定部５３Ｂの２つだけであるが、設定部が多くなって１画面（１ページ）で表示できない場合には、前ボタン及び次ボタンで設定部の表示を切り替えることができる。
【００７１】
このように動作の内容と時刻範囲の組み合わせのパターンを２以上設定することにより、次のような利点がある。
・季節によって測定する項目が異なることが考えられるため、２つのパターンを指定することができると便利である。例えば、春は測定項目としてアレルギーの判断に用いる項目を中心に設定し、冬は感染症の判断に用いる項目を中心に設定する。
・自動分析装置を緊急専用と外来専用などに識別して使用するときに、パターンを切り分けることで、それぞれの用途の必要に応じた項目を測定できる。
【００７２】
ユーザが図６のスタート画面４０の一時変更ボタン４４を操作すると、例えば図７に示すようなキャリブレーション設定画面５０が表示される。また、ユーザが、一時変更ボタン４５を操作すると、例えば後述する図１１に示すようなコントロール設定画面７０が表示される。ユーザはそれぞれの設定画面において所望の項目を再設定し、一時的に設定テーブルの内容を変更することができる。そして、この設定テーブルに対する変更内容は、再度スタート画面４０が開くまでの間、一時的に一時記憶部３６に保持される。すなわち、スタート画面４０のスタートボタン４６が押下されて一旦スタート画面４０が閉じられた後、図５におけるステップＳ８の処理の実行の有無にかかわらず、再びスタート画面４０が開いたときには、キャリブレーション設定テーブル３５ｃ及びコントロール設定テーブル３５ｄから現在時刻を含む時刻範囲と対応づけられた項目が抽出され、一時記憶部３６に格納される。
【００７３】
ここで、一時的に設定テーブルの内容が変更された場合には、その旨をユーザに通知するようにしてもよい。例えば、ユーザがメイン画面のスタートボタンを押下した時刻が、時間の経過によって一時記憶部３６に格納した一時変更前の設定テーブルに設定された時刻範囲を外れ、一時変更後の設定テーブルに設定された今後到来する時刻範囲内になった場合を想定する。この場合、制御部３１は、スタート画面４０のスタートボタン４６が押下されたときに、“時刻範囲が変更になりました。新しい設定テーブルに変更しますか？”といった警告メッセージを表示してユーザに注意を促すようにする。このとき、制御部３１は、この警告メッセージとともに、ユーザに新しい設定テーブルに変更するかどうかを選択させるための「はい」や「いいえ」のボタンを表示部３４に表示する。「いいえ」が選択された場合には、変更後の時刻範囲を表示するなどして一時変更した内容をユーザが確認できるようにしてもよい。
【００７４】
このような警告メッセージを表示することで、例えば設定テーブルの一時的な変更を行ったユーザと、スタートボタン４６を押下したユーザが違う場合に、スタートボタン４６を押下したユーザは設定テーブルが変更されたことを知ることができる。また、設定テーブルの一時的な変更を行ったユーザと、スタートボタン４６を押下したユーザが同じ場合でも、念のために警告メッセージを表示してユーザに注意を促すことで、ユーザは設定テーブルを変更したことを失念することがない。それゆえ、ユーザは、設定テーブルが変更されたことを認識した上で、指定した時刻範囲に対応する目的の項目を測定することができる。なお、警告メッセージを表示する際に、項目が変更されたことを表示するようにしてもよい。
【００７５】
なお、設定テーブルに対する変更内容を永久的に保持したい場合には、例えばメイン画面の不図示のメニューから設定テーブルの変更メニューを選択し、この設定テーブルの内容を変更して記憶部３５に保存すればよい。例えばこのときの変更メニューは、図７，図１０，図１１，図１３に示す設定画面を用いてもよい。
【００７６】
なお、制御部３１は、現在時刻に該当する時刻範囲がキャリブレーション設定テーブル３５ｃ及びコントロール設定テーブル３５ｄに設定されていない場合には、キャリブレーション設定テーブル３５ｃ及びコントロール設定テーブル３５ｄ内のすべての項目（全内容）を一時記憶部３６に格納する。そして、この一時記憶部３６に格納されたすべての項目を表示部３４に表示する。このようにすることで、現在時刻に該当する時刻範囲がキャリブレーション設定テーブル３５ｃ及びコントロール設定テーブル３５ｄに設定されていない場合でも、例えばユーザは、表示された設定テーブルの内容を確認し、時刻範囲や項目を指定して測定を実施することができる。
【００７７】
図８は、図７の指定Ｂ設定部５３Ｂで設定された内容を元に作成されるキャリブレーション設定テーブル５５の例である。このキャリブレーション設定テーブル５５は、時刻範囲を軸にした構成例となっている。
キャリブレーション設定テーブル５５では、時刻範囲「１９：０１−８：３０」と項目Ａ，項目Ｂ，項目Ｄが対応し、時刻範囲「８：３１−１２：００」と項目Ａ，項目Ｄ，項目Ｅが対応し、時刻範囲「１２：０１−１９：００」と項目Ｂ，項目Ｄが対応している。
【００７８】
図９は、図７の指定Ｂ設定部５３Ｂで設定された内容を元にキャリブレーション設定テーブルを５６作成した例である。このキャリブレーション設定テーブル５６は、項目を軸にした構成例となっている。
このキャリブレーション設定テーブル５６は、指定Ｂ設定部５３Ｂのほぼ同じ構成である。図９では各項目に対応する時刻範囲に「〇」を記載している。この「〇」の部分にフラグを格納することで、制御部３１は、キャリブレーション設定テーブル５６に格納されたユーザがメイン画面のスタートボタンを押した時刻に対応する項目を抽出できる。
【００７９】
図８及び図９は、キャリブレーション設定テーブルの一例であり、上記のとおり種々の構成例を採用できる。
【００８０】
図１０は、曜日毎の項目指定が可能なキャリブレーション設定画面の例を示す図である。
キャリブレーション設定画面６０は、時刻範囲用のパターン指定部６１と、曜日選択部６３と、設定部６５とを有する。
パターン指定部６１は、パターン指定Ａのチェックボックス６２Ａと、パターン指定Ｂのチェックボックス６２Ｂを有する。チェックボックス６２Ａ，６２Ｂは、図７のチェックボックス５２Ａ，５２Ｂに相当する。
曜日選択部６３は、曜日選択Ａのチェックボックス６４Ａと、曜日選択Ｂのチェックボックス６４Ｂを有し、ユーザは２つの曜日パターンのうちいずれかを選択することができる。ユーザは、２つの曜日パターン毎に各項目を適宜選択することにより、２つの曜日パターンについて詳細な設定を行うことができる。例えば、平日に医療機関に受診に来る多くの患者の検体に含まれる項目を検査するような場合には、毎日キャリブレーションを行い、頻繁に検査しなくてもよい項目はキャリブレーションを日曜日に実施するなどが考えられる。
設定部６５は、月曜日から日曜日までの曜日毎に設けられる。このキャリブレーション設定画面６０には、パターン指定Ｂの設定内容が表示されている。パターン指定Ａの設定内容を確認したい場合には、例えば「指定Ａ」のインデックス部６６を選択し、パターン指定Ａの設定内容を反映した設定部をキャリブレーション設定画面６０に表示させる。
【００８１】
［コントロールの設定］
図１１は、パターン毎の検体指定が可能なコントロール設定画面の例を示す図である。
コントロール設定画面７０は、パターン指定部７１と、指定Ａ設定部７３Ａと、指定Ｂ設定部７３Ｂとを有する。パターン指定部７１は、パターン指定Ａのチェックボックス７２Ａと、パターン指定Ｂのチェックボックス７２Ｂを有し、ユーザは２つのパターンのうちいずれかを選択することができる。ユーザは、指定Ａ設定部７３Ａと指定Ｂ設定部７３Ｂの各項目を適宜選択することにより、２つのパターンについて詳細な設定を行うことができる。
このコントロール設定画面７０は、図７のキャリブレーション設定画面５０と設定部の軸が項目と検体とで異なるだけであり、その他は同じである。すなわち、キャリブレーション設定画面とコントロール設定画面はいずれの用途にも使用することができる。
【００８２】
図１２は、図１１の指定Ｂ設定部７３Ｂで設定された内容を元に作成されるコントロール設定テーブル７５の例である。このコントロール設定テーブル７５は、時刻範囲を軸にした構成例となっている。コントロール設定テーブル７５は、キャリブレーション設定テーブル５５とテーブル構成の軸が項目と検体とで異なるだけであり、その他は同じである。
【００８３】
図１３は、曜日毎の検体指定が可能なコントロール設定画面の例を示す図である。
コントロール設定画面８０は、時刻範囲用のパターン指定部８１と、曜日選択部８３と、設定部８５とを有する。このコントロール設定画面８０は、図１０のキャリブレーション設定画面６０と設定部の軸が項目と検体とで異なるだけである。
すなわち、パターン指定部８１は、パターン指定Ａのチェックボックス８２Ａと、パターン指定Ｂのチェックボックス８２Ｂを有する。チェックボックス８２Ａ，８２Ｂは、図１０のチェックボックス６２Ａ，６２Ｂに相当する。
曜日選択部８３は、曜日選択Ａのチェックボックス８４Ａと、曜日選択Ｂのチェックボックス８４Ｂを有する。
設定部８５は、月曜日から日曜日までの曜日毎に設けられる。このコントロール設定画面８０には、パターン指定Ｂの設定内容が表示されている。パターン指定Ａの設定内容を確認したい場合には、キャリブレーション設定画面６０の場合と同様に、例えば「指定Ａ」のインデックス部８６を選択する。
【００８４】
＜２．変形例＞
なお、自動分析装置としては、生化学分析装置１の他に、免疫分析装置、尿分析装置等の様々な分析装置を用いることができる。
【００８５】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【００８６】
また、本発明は上述した各実施の形態に限定されるものではなく、特許請求の範囲に記載された要旨を逸脱しない限りにおいて、その他種々の変形例、応用例を取り得ることは勿論である。
【００８７】
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８８】
１…生化学分析装置、  １Ａ…測定機構、  ３１…制御部、  ３３…入力部、  ３４…表示部、  ３５…記憶部、  ３５ａ…測定項目指定プログラム、  ３５ｂ…測定制御プログラム、  ３５ｃ…キャリブレーション設定テーブル、  ３５ｄ…コントロール設定テーブル、  ３６…一時記憶部、  ３７…時計部、  ４０…スタート画面、  ４１，４２…チェックボックス、  ４４，４５…一時変更ボタン、  ４６…スタートボタン、  ４７…キャリブレーション設定テーブル、  ４８…コントロール設定テーブル、  ５０，６０…キャリブレーション設定画面、  ７０，８０…コントロール設定画面
【図１】
0006403197.tif 000002
【図２】
0006403197.tif 000003
【図３】
0006403197.tif 000004
【図４】
0006403197.tif 000005
【図５】
0006403197.tif 000006
【図６】
0006403197.tif 000007
【図７】
0006403197.tif 000008
【図８】
0006403197.tif 000009
【図９】
0006403197.tif 000010
【図１０】
0006403197.tif 000011
【図１１】
0006403197.tif 000012
【図１２】
0006403197.tif 000013
【図１３】
0006403197.tif 000014